(57)【要約】【課題】基地局とその圏外に位置する圏外携帯電話端末との間を中継する他の携帯電話端末が、通信網に常時接続されていなくとも、これを介した着信通知信号の受信が可能であるとともに、その受信を圏外携帯電話端末からの要求により自発的に行うことができるようにする。【解決手段】基地局１０１の圏外に位置する圏外携帯電話端末１０３の圏外情報を、他の携帯電話端末１０２を経由して基地局へ送信して、圏外携帯電話端末１０３が圏外に位置していることを基地局１０１に記憶する。その記憶した圏外携帯電話端末１０３へ向けた基地局１０１からの着信通知信号を圏内に位置した他の携帯電話端末１０２で受信して記憶する。圏外携帯電話端末１０３からの要求により他の携帯電話端末１０２との直接通信を確立して、それに記憶されている着信通知信号を受信する。【選択図】図１
2009071784.tif 000002
【特許請求の範囲】
【請求項１】
基地局の圏外に位置する圏外携帯電話端末の圏外情報を、これと直接通信できる位置の他の携帯電話端末であって基地局の圏内に位置した携帯電話端末を経由して前記基地局へ送信して、前記圏外携帯電話端末が圏外に位置していることを基地局に記憶し、その記憶した圏外携帯電話端末へ向けた基地局からの着信通知信号を圏内に位置した他の携帯電話端末で受信して記憶し、前記圏外携帯電話端末が、これと直接通信できる位置の他の携帯電話端末であって前記着信通知信号を記憶している携帯電話端末と直接通信して、それに記憶されている着信通知信号をこの携帯電話端末から受信することを特徴とする、携帯電話端末圏外時における着信方法。
【請求項２】
圏外携帯電話端末からの要求により他の携帯電話端末との直接通信を確立して、他の携帯電話端末に記憶されている着信通知信号を受信することを特徴とする請求項１に記載の、携帯電話端末圏外時における着信方法。
【請求項３】
圏外携帯電話端末が、他の携帯電話端末に対して、下り周波数送信により着信通知信号要求し、上り周波数受信により着信通知信号を受信することを特徴とする請求項２に記載の、携帯電話端末圏外時における着信方法。
【請求項４】
圏外携帯電話端末の圏外情報を記憶した他の携帯電話端末が、基地局の圏外より圏内に復帰したことを検出したとき、その記憶している圏外情報を基地局へ送信することを特徴とする請求項１、２又は３に記載の、携帯電話端末圏外時における着信方法。
【請求項５】
当該圏外携帯電話端末についての圏外情報を基地局に記憶した後、それと同じ圏外情報が他の携帯電話端末経由で基地局に送信された場合、基地局ではそれを破棄することを特徴とする請求項１、２、３又は４に記載の、携帯電話端末圏外時における着信方法。
【請求項６】
基地局と、該基地局の圏外に位置したことを示す圏外情報を送信する圏外携帯電話端末と、この圏外携帯電話端末と直接通信できる他の携帯電話端末とからなり、
前記基地局は、前記圏外携帯電話端末についての圏外情報を受信するとともに、該圏外携帯電話端末への着信通知信号を送信する送受信手段を備え、
前記他の携帯電話端末は、前記圏外携帯電話端末からの圏外情報を直接通信にて受信するとともに、前記圏外携帯電話端末についての着信通知信号を基地局の圏内に位置したときに受信する受信手段と、受信した前記圏外情報を記憶する圏外情報記憶手段と、受信した前記着信通知信号を記憶する着信通知信号記憶手段と、記憶した前記圏外情報を基地局の圏内に位置したときに送信するとともに、記憶した前記着信通知信号を前記圏外携帯電話端末との直接通信にてこれに送信する送信手段とを備え、
前記圏外携帯電話端末は、前記他の携帯電話端末との間で直接通信を確立して、自己の圏外情報を他の携帯電話端末へ送信するとともに、自己宛の前記着信通知信号を他の携帯電話端末から受信する端末相互通信用送受信手段を備えていることを特徴とする携帯電話システム。
【請求項７】
圏外携帯電話端末の端末相互通信用送受信手段は、他の携帯電話端末に対して、下り周波数送信により着信通知信号要求し、上り周波数受信により着信通知信号を受信することを特徴とする請求項６に記載の携帯電話システム。
【請求項８】
他の携帯電話端末の送信手段は、基地局の圏外より圏内に復帰したことを検出したとき、圏外情報記憶手段に記憶している圏外携帯電話端末の圏外情報を基地局へ送信することを特徴とする請求項６又は７に記載の携帯電話システム。
【請求項９】
基地局は、当該圏外携帯電話端末についての圏外情報を記憶した後、それと同じ圏外情報が他の携帯電話端末経由で送信されてきた場合、それを破棄することを特徴とする請求項６、７又は８に記載の携帯電話システム。
【発明の詳細な説明】
【技術分野】
【０００１】
本発明は、携帯電話端末が基地局の圏外に位置したときの着信通知信号を他の携帯電話端末を経由して受信可能とする、携帯電話端末圏外時における着信方法、及びこれを実施できる携帯電話システムに関する。
【背景技術】
【０００２】
特許文献１（特開平６−１６５２４７号公報）には、次のような移動端末機の着信通知方式が開示されている。
着信対象の移動端末機が複数の基地局のすべてのゾーンの外に位置するか、又は電源が切られているときに着信があったときは、交換機は発呼者に着信対象の移動端末機の応答不能を通知すると共に、発呼者の電話番号と着信時刻を記憶手段に記憶し、着信対象の移動端末機が各ゾーンのいずれかに戻るか電源投入により位置登録処理が実行されたときは、交換機は記憶手段から発呼者の電話番号と着信時刻とを読み出して着信対象の移動端末機に通知する。
しかし、これによると、移動端末機が圏内に復帰しない限り、発呼者の電話番号や着信時刻などの着信通知を受け取ることができないので、地下街などの圏外に長時間にわたり留まる場合には、長時間にわたり着信を知ることができない。
【０００３】
特許文献２（特開２０００−３４１７５５号公報）には、次のような無線通信装置の着信制御方法が開示されている。
第１の携帯電話機は、所定時間毎に電界強度インジケータＲＳＳＩを計測しており、計測されたＲＳＳＩが所定値以下になったとき、すなわち基地局との交信ができなくなる寸前に、自機宛着信の代理検出を第２の携帯電話機に対して要求する。第２の携帯電話機は、第１の携帯電話機からの着信代理要求を受信すると、自機宛着信の他に、第１の携帯電話機宛の着信をも検出する。第２の携帯電話機は、第１の携帯電話機宛の着信を代理検出すると、第１の携帯電話機にその旨を通知する。
しかし、これによると、第１の携帯電話機において電界強度インジケータＲＳＳＩが所定値以下になったことを契機に、電界強度が低い状態で第２の携帯電話機に着信代理要求するので、そのエラーが生じやすい問題がある。
【０００４】
特許文献３（特開２００５−２０４２１３号公報）には、次のような移動通信端末の着信制御方法が開示されている。
移動通信網において移動端末識別情報を付与された加入者端末であって近距離無線通信手段を備えた第１の移動通信端末が、前記移動通信網のサービス圏外にあると判断したとき前記近距離無線通信手段を用いてサーチを行い、かつ、前記サーチの結果前記移動通信網のサービス圏内にある第２の移動通信端末を検出したとき、前記第２の移動通信端末との間で前記近距離無線通信手段を用いて近距離リンクを確立すると共に、前記近距離リンクを用いて前記第２の移動通信端末に対して前記移動端末識別情報を送信し、前記第２の移動通信端末は、前記第１の移動通信端末から送信された前記移動端末識別情報を受信して記憶し、かつ、前記移動端末識別情報を用いて前記移動通信網との間で制御チャネルを確立すると共に、前記移動通信網から前記制御チャネルを経て前記第１の移動通信端末に対する着信があったときに前記近距離リンクを用いて前記第１の移動通信端末に対して前記着信を中継する。
【０００５】
しかし、これによると、移動通信端末自体が移動通信網のサービス圏外にあっても、中継用デバイスを介して着信を受けることができ、また、圏外に位置する移動通信端末を呼び出すとリアルタイムに呼び出すことができるが、圏外に位置する移動通信端末と、近距離リンクを確立する中継用の相手（固定通信端末及び通信デバイス）とは必ず移動通信網、固定通信網、情報サービス提供のためのネットワークなどの通信網に必ず接続している必要性がある。
【特許文献１】特開平６−１６５２４７号公報
【特許文献２】特開２０００−３４１７５５号公報
【特許文献３】特開２００５−２０４２１３号公報
【発明の開示】
【発明が解決しようとする課題】
【０００６】
本発明の課題は、基地局とその圏外に位置する圏外携帯電話端末との間を中継する他の携帯電話端末が、通信網に常時接続されていなくとも、これを介した着信通知信号の受信が可能であるとともに、その受信を圏外携帯電話端末からの要求により自発的に行うことができる携帯電話端末圏外時における着信方法、及びこの方法を設備増設することなく簡単に実施できる携帯電話システムを提供することにある。
【課題を解決するための手段】
【０００７】
請求項１に係る発明の着信方法は、基地局の圏外に位置する圏外携帯電話端末の圏外情報を、これと直接通信できる位置の他の携帯電話端末であって基地局の圏内に位置した携帯電話端末を経由して基地局へ送信して、圏外携帯電話端末が圏外に位置していることを基地局に記憶し、その記憶した圏外携帯電話端末へ向けた基地局からの着信通知信号を圏内に位置した他の携帯電話端末で受信して記憶し、圏外携帯電話端末が、これと直接通信できる位置の他の携帯電話端末であって着信通知信号を記憶している携帯電話端末と直接通信して、それに記憶されている着信通知信号をこの携帯電話端末から受信する。
【０００８】
その具体的形態である請求項２に係る発明は、圏外携帯電話端末からの要求により他の携帯電話端末との直接通信を確立して、他の携帯電話端末に記憶されている着信通知信号を受信する。
【０００９】
その具体的形態である請求項３に係る発明は、圏外携帯電話端末が、他の携帯電話端末に対して、下り周波数送信により着信通知信号要求し、上り周波数受信により着信通知信号を受信する。
【００１０】
請求項４に係る発明は、圏外携帯電話端末の圏外情報を記憶した他の携帯電話端末が、基地局の圏外より圏内に復帰したことを検出したとき、その記憶している圏外情報を基地局へ送信する。
【００１１】
請求項５に係る発明は、圏外携帯電話端末の圏外情報を記憶した他の携帯電話端末が、基地局の圏外より圏内に復帰したことを検出したとき、その記憶している圏外情報を基地局へ送信する。
【００１２】
請求項６に係る発明の携帯電話システムは、基地局と、該基地局の圏外に位置したことを示す圏外情報を送信する圏外携帯電話端末と、この圏外携帯電話端末と直接通信できる他の携帯電話端末とからなる。
基地局は、圏外携帯電話端末についての圏外情報を受信するとともに、該圏外携帯電話端末への着信通知信号を送信する送受信手段を備えている。
他の携帯電話端末は、圏外携帯電話端末からの圏外情報を直接通信にて受信するとともに、圏外携帯電話端末についての着信通知信号を基地局の圏内に位置したときに受信する受信手段と、受信した圏外情報を記憶する圏外情報記憶手段と、受信した着信通知信号を記憶する着信通知信号記憶手段と、記憶した圏外情報を基地局の圏内に位置したときに送信するとともに、記憶した着信通知信号を圏外携帯電話端末との直接通信にてこれに送信する送信手段とを備えている。
圏外携帯電話端末は、他の携帯電話端末との間で直接通信を確立して、自己の圏外情報を他の携帯電話端末へ送信するとともに、自己宛の着信通知信号を他の携帯電話端末から受信する端末相互通信用送受信手段を備えている。
【００１３】
その具体的形態である請求項７に係る発明は、圏外携帯電話端末の端末相互通信用送受信手段が、他の携帯電話端末に対して、下り周波数送信により着信通知信号要求し、上り周波数受信により着信通知信号を受信する。
【００１４】
請求項８に係る発明は、他の携帯電話端末の送信手段が、基地局の圏外より圏内に復帰したことを検出したとき、圏外情報記憶手段に記憶している圏外携帯電話端末の圏外情報を基地局へ送信する。
【００１５】
請求項９に係る発明は、基地局が、当該圏外携帯電話端末についての圏外情報を記憶した後、それと同じ圏外情報が他の携帯電話端末経由で送信されてきた場合、それを破棄する。
【発明の効果】
【００１６】
各請求項に係る発明による効果は次のとおりである。
＜請求項１に係る発明＞
（１）基地局の圏外に位置する圏外携帯電話端末の圏外情報を、基地局の圏内に位置している携帯電話端末を経由して基地局へ送信して、圏外に位置していることを基地局に記憶する、（２）その圏外携帯電話端末へ向けた基地局からの着信通知信号を圏内に位置した他の携帯電話端末で受信して記憶する、（３）これを記憶した他の携帯電話端末と圏外携帯電話端末が直接通信して、記憶されている着信通知信号をこの携帯電話端末から受信するので、圏外携帯電話端末と基地局との間を中継する他の携帯電話端末が圏内から圏外へ移動しても、圏外携帯電話端末は基地局からの着信通知信号を圏外で受け取ることができる。
【００１７】
＜請求項２に係る発明及び請求項６に係る発明＞
圏外携帯電話端末からの要求により他の携帯電話端末との直接通信を確立して他の携帯電話端末に記憶されている着信通知信号を受信するので、圏外携帯電話端末は自己宛の着信通知信号を自発的に受け取ることができる。
【００１８】
＜請求項３に係る発明及び請求項７に係る発明＞
圏外携帯電話端末が、他の携帯電話端末との間で、上り周波数受信、下り周波数送信による端末相互通信機能を有しているので、他の携帯電話端末にまでこのような端末相互通信機能を備える必要がなく、経済的である。
【００１９】
＜請求項４に係る発明及び請求項８に係る発明＞
圏外携帯電話端末の圏外情報を記憶した他の携帯電話端末は、基地局の圏外より圏内に復帰したことを検出したとき、その記憶している圏外情報を基地局へ送信するので、圏外携帯電話端末の圏外情報を圏外で受け取っても、圏内に復帰したときに直ちに基地局へ送信できる。
【００２０】
＜請求項５に係る発明及び請求項９に係る発明＞
当該圏外携帯電話端末についての圏外情報を基地局に記憶した後、それと同じ圏外情報が他の携帯電話端末経由で基地局に送信された場合、基地局ではそれを破棄するので、圏外情報の無駄な処理を防止できる。
【発明を実施するための最良の形態】
【００２１】
次に、本発明の実施例を図面に基づいて詳細に説明する。
【実施例】
【００２２】
図１に本発明による携帯電話システムの基本的な構成例を示し、携帯電話無線基地局１０１（以下、単に「基地局」と記す。）と、その圏内に位置してそれとの通信が可能な携帯電話端末１０２（以下、「携帯電話端末Ａ」と記す。）と、圏外に位置していて携帯電話無線基地局１０１との直接通信ができない圏外の携帯電話端末１０３（以下、「携帯電話端末Ｂ」と記す。）で構成される。
【００２３】
携帯電話端末Ａは圏内から圏外へ移動するとともに、圏外から圏内へ復帰するものとする。図１ではそれを一台しか示していないが、複数台存在する。また、携帯電話端末Ｂは、携帯電話端末Ａとの間では、直接通信可能な範囲内に位置していれば、携帯電話端末Ａに対して直接通信が可能である。なお、携帯電話端末Ｂも、基地局圏内へ移動すれば、携帯電話端末Ａと同様に、基地局１０１との通信は可能であるが、本発明による圏外時着信方法を実施するに当たっては、圏外に位置したままとする。
【００２４】
基地局１０１は、図２に示すように、送受信部２０１、端末圏外情報処理部２０２、端末圏外情報記憶部２０３、アンテナ２０４を備え、携帯電話端末Ｂについての圏外情報（電話番号などの圏外であることが識別できる情報）を後述のように受信し、それを端末圏外情報記憶部２０３で処理して端末圏外情報記憶部２０３に記憶できるとともに、携帯電話端末Ｂ宛の着信通知信号を携帯電話端末Ａへ送信できるようになっている。
【００２５】
携帯電話端末Ａは、図３に示すように、アンテナ３０１と、基地局１０１及び携帯電話端末Ｂと通信するための送受信部３０６と、自己が圏内／圏外のいずれに位置したかを検出するとともに、携帯電話端末Ｂから受信した圏外情報を処理する圏外情報処理部３０４と、その圏外情報を記憶する圏外情報記憶部３０２と、基地局１０１から受信した携帯電話端末Ｂ宛の着信通知信号を処理する着信通知信号処理部３０５と、その着信通知信号を記憶する着信通知信号記憶部３０３とを備えている。
【００２６】
携帯電話端末Ｂは、図４に示すように、アンテナ４０１と、基地局１０１との通信及び携帯電話端末Ａとの直接通信を共用するアンテナ共用器４０２と、基地局１０１との通信を行う送受信部４０３と、携帯電話端末Ａとの端末間での直接通信を行う端末相互通信用送受信部４０５と、自己の圏外情報を処理する圏外情報処理部４０４と、端末相互通信用送受信部４０５で受信した着信通知信号を処理する着信通知信号処理部４０６と、その着信通知を音で報知するスピーカ４０７及び表示する表示部４０８とを備えている。端末相互通信用送受信部４０５は、下り周波数送信により着信通知信号要求し、上り周波数受信により着信通知信号を受信する。
【００２７】
次に、動作についてフローチャートを参照して説明する。
図５のフローチャートにおいて、図３に示したような構成の携帯電話端末が２台存在するとして、その一方を携帯電話端末Ａとして符号１０２を付し、他方を携帯電話端末Ａ’として符号１０４を付している。基地局１０１については、「基地局装置」と記している。
【００２８】
図５のステップ５０１において、携帯電話端末Ｂが自己の圏外情報を送信すると、そのときに携帯電話端末Ａ及び携帯電話端末Ａ’の両方とも携帯電話端末Ｂとの直接通信が可能な範囲内に位置していれば、その両方で圏外情報が受信され、ステップ５０２において、圏外情報処理部３０４による処理にて圏外情報記憶部３０２に圏外情報が記憶される。
【００２９】
携帯電話端末Ａ及び携帯電話端末Ａ’は圏外より圏内に復帰すると、ステップ５０３において、圏外情報処理部３０４で圏内に復帰したことを検出して、圏外情報記憶部３０２に記憶している携帯電話端末Ｂの圏外情報を基地局装置１０１へ送信する。ここで、携帯電話端末Ａが携帯電話端末Ａ’よりも先に圏内に復帰したとすると、基地局装置１０１では、ステップ５０４において、携帯電話端末Ｂの圏外情報を送受信部２０１にて携帯電話端末Ａから先に受信することになるので、その受信した携帯電話端末Ｂの圏外情報を端末圏外情報処理部２０２で処理して端末圏外情報記憶部２０３に記憶する。
【００３０】
これに遅れて携帯電話端末Ａ’から送信されてきた携帯電話端末Ｂの圏外情報は、基地局装置１０１の端末圏外情報処理部２０２が、ステップ５０５において破棄する。
携帯電話端末Ｂは、ステップ５０６において、着信通知信号待ち状態で待機する。
【００３１】
図６のフローチャートにおいて、携帯電話端末Ｂの端末相互通信用送受信部４０５が、ステップ６０１において、下り周波数送信により着信通信信号要求を送信すると、携帯電話端末Ｂとの直接通信が可能な範囲内に位置している携帯電話端末Ａはその要求を受け取ることができるが、範囲外に位置している携帯電話端末Ａ’は受け取ることができない。
【００３２】
着信通信信号要求を受け取った携帯電話端末Ａでは、ステップ６０２において、着信通知信号処理部３０５が着信通知信号記憶部３０３を確認し、このときそれが記憶されていなければ、着信通知信号がないことを携帯電話端末Ｂへ送信する。
【００３３】
一方、基地局装置１０１では、ステップ６０３において、端末圏外情報処理部２０２が端末圏外情報記憶部２０３を参照して携帯電話端末Ｂの圏外情報を確認し、ステップ６０９で携帯電話端末Ｂが圏内であるか圏外であるを判断する。圏内であれば、ステップ６１０において携帯電話端末Ｂに対する通常の呼び出しを行う。圏外であれば、ステップ６０２において、携帯電話端末Ｂ宛の着信通知信号を圏内の携帯電話端末Ａ及びＡ’へ送信する。
【００３４】
携帯電話端末Ａ及びＡ’では、ステップ６０５において、送受信部３０１で受信した携帯電話端末Ｂ宛の着信通知信号を着信通知信号処理部３０５で処理して着信通知信号記憶部３０３に記憶する。
【００３５】
携帯電話端末Ｂの端末相互通信用送受信部４０５は、着信通信信号要求を下り周波数送信により定期的に送信しており、ステップ６０６において送信した着信通信信号要求が携帯電話端末Ａで受信され、ステップ６０７において、携帯電話端末Ａの着信信号処理部３０５が着信信号記憶部３０３を確認した結果、記憶されていれば、その記憶されていた着信通知信号を、携帯電話端末Ｂの端末相互通信用送受信部４０５による上り周波数受信を利用して携帯電話端末Ｂへ向けて送信する。
【００３６】
携帯電話端末Ｂでは、ステップ６０８において、受信した着信通知信号をスピーカ４０７による音や表示部４０８による表示によって報知する。
【００３７】
図７は、携帯電話端末Ｂが基地局圏内に位置しているときの動作を示すフローチャートで、ステップ７０１において、携帯電話端末Ｂの圏外情報処理部４０４から送受信部４０３及びアンテナ共用機４０２を経由して基地局装置１０１に圏内情報を送信すると、基地局装置１０１では、ステップ７０２において、端末圏外情報処理部２０２が携帯電話端末Ｂの圏外情報を端末圏外情報記憶部２０３から削除する。携帯電話端末Ｂは、ステップ７０３において、通常待ち受け状態で待機することになる。
【図面の簡単な説明】
【００３８】
【図１】本発明による携帯電話システムの基本的な構成例を示すブロック図である。
【図２】携帯電話無線基地局の構成を示すブロック図である。
【図３】携帯電話無線基地局の圏内に位置していてそれとの通信が可能な携帯電話端末の構成を示すブロック図である。
【図４】携帯電話無線基地局の圏外に位置し、図３に示す携帯電話端末との直接通信が可能な携帯電話端末の構成を示すブロック図である。
【図５】圏外の携帯電話端末からの圏外情報の送信に基づいて行われる一連の動作の流れを示すフローチャートである。
【図６】圏外の携帯電話端末からの着信通知信号要求に基づいて行われる一連の動作の流れを示すフローチャートである。
【図７】図４に示す携帯電話端末が基地局圏内に位置しているときの動作を示すフローチャートである。
【符号の説明】
【００３９】
１０１  携帯電話無線基地局
１０２  基地局圏内の携帯電話端末
１０３  基地局圏外の携帯電話端末
２０１  送受信部
２０２  端末圏外情報処理部
２０３  端末圏外情報記憶部
２０４  アンテナ
３０１  アンテナ
３０２  圏外情報記憶部
３０３  着信通知信号記憶部
３０４  圏外情報処理部
３０５  着信通知信号処理部
４０１  アンテナ
４０２  アンテナ共用器
４０３  送受信部
４０４  圏外情報処理部
４０５  端末相互通信用送受信部
４０６  着信通知信号処理部
４０７  スピーカ
４０８  表示部
【図１】
2009071784.tif 000003
【図２】
2009071784.tif 000004
【図３】
2009071784.tif 000005
【図４】
2009071784.tif 000006
【図５】
2009071784.tif 000007
【図６】
2009071784.tif 000008
【図７】
2009071784.tif 000009